(57)【要約】  【課題】ＣＤやＤＶＤと共に、ＣＤやＤＶＤに記録した写真やビデオ映像に関連する小物を一緒に収納することができると共に、小物が固定され、外から視認することができるようにしたディスクケースを提供する。  【解決手段】  ディスクケース１は、上側カバー１１及び下側カバー１２と、上側カバー１１及び下側カバー１２とを開閉自在に連結するヒンジ部１３とからなる。上側カバー１１にディスク２を収納し、下側カバー１２にウレタン材２０を介してシート状小物３ａ、３ｂ、立体小物４ａ、４ｂを収納する。下側カバー１２を透明部材から成形する。ディスクケース１を閉めたときにも、下側カバー１２に収納したシート状小物３ａ、３ｂ、立体小物４ａ、４ｂは、下側カバー１２を介して視認可能である。【選択図】        図１
0003104653.tif 000002
【実用新案登録請求の範囲】
【請求項１】
上側カバー及び下側カバーと、
前記上側カバー及び下側カバーとを開閉自在に連結するヒンジ部と、
柔軟性部材とからなり、
前記上側カバー及び下側カバーのうちの一方のカバーにディスクを収納し、他方のカバーに前記柔軟性部材を介して小物を収納し、前記他方のカバーを透明部材から成形する
ようにしたことを特徴とするディスクケース。
【請求項２】
前記柔軟性部材は、ウレタン材であることを特徴とする請求項１に記載のディスクケース。
【請求項３】
前記柔軟性部材を板状の取付部材で固定するようにしたことを特徴とする請求項１に記載のディスクケース。
【請求項４】
前記柔軟性部材のカバーの底面からの高さを変えられるようにしたことを特徴とする請求項３に記載のディスクケース。
【請求項５】
前記板状の取付部材に段部を設けるようにしたことを特徴とする請求項３に記載のディスクケース。
【請求項６】
前記柔軟性部材をケース状の部材に嵌合して固定するようにしたことを特徴とする請求項１に記載のディスクケース。
【請求項７】
前記ケース状の部材の底面に段部を設けるようにしたことを特徴とする請求項６に記載のディスクケース。
【請求項８】
更に、ディスクケース全体を収納するケース収納箱を設けるようにしたことを特徴とする請求項１に記載のディスクケース。
【考案の詳細な説明】
【技術分野】
【０００１】
本考案は、ＤＶＤ(Digital Versatile Disc)やＣＤ(Compact Disc)のような光ディスクを収納するディスクケースに関するもので、特に、ディスクと共に、そのディスクに関連する小物を収納することができるようにしたものに関する。
【背景技術】
【０００２】
旅行に行くと、旅先で撮影した多数の写真が旅先の思い出の品として残る。また、旅先にビデオカメラを持っていくと、旅行先で撮影した画像が思い出の品として残る。さらに、旅先で買った土産物の他、旅先で訪問した資料館や美術館の入場券、切符や航空券、旅先で使われていたコイン等、旅の思い出の品が数々と残る。これら多数の思い出の品を１つにまとめて保存しておければ、数々の旅行の思い出の品が整理できて便利である。
【０００３】
また、七五三や、幼稚園の入園式、運動会などのイベントで子供の様子をカメラやビデオカメラで撮影して残しておくと、子供の成長の記録が映像として残る。このとき、運動会のプログラムや、賞品としてもらった品物、子供のおもちゃなどを、１つにまとめて保存できれば、子供の成長の記録が整理でき便利である。
【０００４】
旅行先に持って行くカメラや、子供の成長記録を撮影するカメラとしては、従来、銀塩式のカメラが使われていたが、最近では、ディジタルカメラが主流になっている。銀塩式カメラの場合には、ネガフィルムを保存していたが、ディジタルカメラの場合には、画像のディジタルデータを保存することになり、その記録媒体としては、ＣＤ（ＣＤ−Ｒ(Compact Disc Recordable)、ＣＤ−ＲＷ(Compact Disc ReWritable)）が用いられている。また、近年、ＤＶＤレコーダが安価になったことから、ＤＶＤ（ＤＶＤ−Ｒ(Digital Versatile Disc Recordable)、ＤＶＤ−ＲＷ(Digital Versatile Disc ReWritable)）をディジタルカメラで撮影したデータを保存する記録媒体として用いられるようになってきている。
【０００５】
また、旅行先に持って行くビデオカメラや、子供の成長記録を撮影するビデオカメラとしては、従来、磁気テープにビデオ信号を記録するものが使われていたが、最近では、ディジタルビデオカメラが主流になっている。また、撮影したビデオデータをコンピュータに取り込んだり、ＤＶＤに簡単に保存できるようにしたりすることができるものが登場してきている。
【０００６】
前述したように、旅の思い出の品を旅先の写真や動画を記録した記録媒体と一緒に保存して整理したいという要望がある。また、子供の成長の記録を子供の写真や動画を記録した記録媒体と一緒に保存して整理したいという要望がある。上述のように、写真の記録媒体としてはＣＤが主流になっており、動画の記録媒体としてはＤＶＤが主流になってきている。このことから、旅先の思い出の品や子供の成長過程での思い出の品を、ＣＤやＤＶＤと一緒に保存できるようなケースが要望される。
【０００７】
ＣＤやＤＶＤは、通常、合成樹脂のケースに入れて保管されている。このＣＤやＤＶＤのケースには、歌詞カードや解説カード等を一緒に収納されている。したがって、現行のケースでも、旅先で訪問した資料館や美術館の入場券、切符や航空券、あるいは、運動会のプログラムのような、紙のものは一緒にケースに保存できる。しかしながら、旅先で買った土産物、旅先で使われていたコイン、賞品としてもらった品物など、厚さのあるものは、ＣＤやＤＶＤと一緒にケースに保存できない。
【０００８】
また、例えば、特許文献１に示されるように、ＣＤやＤＶＤと共に、小物を入れることができるディスクケースが提案されている。このディスクケースは、ケースに小物入れる部分を設け、ここに小物を入れるようにしたものである。
【特許文献１】実開平６−１２８７号公報
【考案の開示】
【考案が解決しようとする課題】
【０００９】
しかしながら、特許文献１に示されるものでは、小物が固定されておらず、ケースを動かすと小物が動いてしまうという問題がある。また、ケースに収納された品物を外部から確認することが難しいという問題がある。
【００１０】
本考案は、上述の従来の課題を鑑み、ＣＤやＤＶＤと共に、ＣＤやＤＶＤに記録した写真やビデオ映像に関連する小物を一緒に収納することができると共に、小物が固定され、外から視認することができるようにしたディスクケースを提供することを目的とする。
【課題を解決するための手段】
【００１１】
本考案が適用されたディスクケースは、上側カバー及び下側カバーと、上側カバー及び下側カバーとを開閉自在に連結するヒンジ部と、柔軟性部材とからなり、上側カバー及び下側カバーのうちの一方のカバーにディスクを収納し、他方のカバーに柔軟性部材を介して小物を収納し、他方のカバーを透明部材から成形するようにしたことを特徴とする。
【００１２】
本考案において、好ましくは、柔軟性部材は、ウレタン材であることを特徴とする。
【００１３】
本考案において、好ましくは、柔軟性部材を板状の取付部材で固定するようにしたことを特徴とする。
【００１４】
本考案において、好ましくは、柔軟性部材のカバーの底面からの高さ枚数を変えられるよようにしたことを特徴とする。
【００１５】
本考案において、好ましくは、ケース状の部材の底面に段部を設けるようにしたことを特徴とする。
【００１６】
本考案において、好ましくは、柔軟性部材をケース状の部材を嵌合して固定するようにしたことを特徴とする。
【考案の効果】
【００１７】
本考案が適用されたディスクケースによれば、上側カバー及び下側カバーと、上側カバー及び下側カバーとを開閉自在に連結するヒンジ部と、柔軟性部材とからなり、上側カバー及び下側カバーのうちの一方のカバーにディスクを収納し、他方のカバーに柔軟性部材を介して小物を収納し、他方のカバーを透明部材から成形するようにしているので、ＤＶＤやＣＤ等のディスクと共に、シート状小物や立体小物を収納することができ、また、ディスクケースの上側カバーと下側カバーとを閉じたときに、収納されているシート状小物や立体小物を視認することができる。さらに、下側カバーの底面上に置かれたシート状小物や立体小物は、柔軟性部材の反発力により下側カバーの底面に押しつけられて固定される。このため、シート状小物や立体小物が確実に固定される。
【００１８】
本考案によれば、柔軟性部材をウレタン材とすることで、ウレタン材の反発力により下側カバーの底面に押しつけられて固定され、シート状小物や立体小物が確実に固定される。
【００１９】
本考案において、柔軟性部材を板状の取付部材で固定することで、柔軟性部材をより確実に固定できる。
【００２０】
本考案において、柔軟性部材のカバーの底面からの高さ枚数を変えられるようにすることで、小物の厚さに応じて、最適に柔軟性部材の位置を設定できる。
【００２１】
本考案において、好ましくは、ケース状の部材の底面に段部を設けることにより、シート状小物と立体小物とをそれぞれ最適に固定することができる。
【００２２】
本考案において、好ましくは、柔軟性部材をケース状の部材を嵌合して固定することで、柔軟性部材をより確実に固定できる。
【考案を実施するための最良の形態】
【００２３】
第１実施形態．
以下、本考案の実施の形態について図面を参照しながら説明する。図１は、本考案が適用されたディスクケースの全体を示す斜視図である。本考案が適用されたディスクケース１は、ＤＶＤ（ＤＶＤ±Ｒ、ＤＶＤ±ＲＷ）やＣＤ（ＣＤ−Ｒ、ＣＤ−ＲＷ）等のディスクと共に、ディスクに記録した写真やビデオ映像に関連する小物を一緒に収納することができるようにしたものである。小物とは、具体的には、旅行先で買った土産品、写真、旅先で訪問した資料館や美術館の入場券、切符や航空券、旅先で使われていたコイン等、あるいは、運動会のプログラムや、賞品としてもらった品物、子供のおもちゃ等である。これらの小物に中には、旅行の写真、資料館や美術館の入場券、切符や航空券、子供の写真、運動会のプログラムのように、シート状のものと、土産品やコイン、賞品の品物、おもちゃのように、立体的なものがある。以下、シート状の小物をシート状小物と称し、立体的な小物を立体小物と称することにする。
【００２４】
図１において、ディスクケース１は例えば樹脂により一体成形されており、ディスクケース１は、上側カバー１１と、下側カバー１２と、上側カバー１１と下側カバー１２とを開閉自在に連結するヒンジ部１３とからなる。上側カバー１１にはディスク２が収納され、下側カバー１２にはシート状小物３ａ、３ｂや、立体小物４ａ、４ｂが収納される。シート状小物３ａ、３ｂや立体小物４ａ、４ｂが収納される下側カバー１２としては、透明部材が用いられる。なお、ここでは、上側カバー１１と下側カバー１２とヒンジ部１３とを一体成形しているが、上側カバー１１及び下側カバー１２をそれぞれ別部品で成形するようにしてもよい。
【００２５】
上側カバー１１の縁部１１ａには、ロック爪１６ａ及び１６ｂが形成される。下側カバー１２の縁部１２ａには、係合部１７ａ及び１７ｂが形成される。上側カバー１１及び下側カバー１２を閉じると、ロック爪１６ａ及び１６ｂが係合部１７ａ及び１７ｂに係合され、ディスクケース１は閉状態で固定される。上側カバー１１及び下側カバー１２を強く開けば、ロック爪１６ａ及び１６ｂが係合部１７ａ及び１７ｂから外れ、ディスクケース１を開くことができる。
【００２６】
上側カバー１１の裏面には、ディスク固定部１４が形成される。ディスク固定部１４の中心には、固定片１５が形成されている。固定片１５に、ディスク２が固定される。
【００２７】
下側カバー１２の側面１２ｂ及び１２ｃには、内方に突出する突出片１８ａ及び１８ｂが形成される。この突出片１８ａ及び１８ｂは、ウレタン材２０を固定するものである。
【００２８】
本考案が適用されたディスクケース１は、ＤＶＤやＣＤ等のディスク２と共に、シート状小物３ａ、３ｂや立体小物４ａ、４ｂを収納することができる。
【００２９】
すなわち、ディスク２や、シート状小物３ａ、３ｂ、立体小物４ａ、４ｂを収納する際には、前述したように、上側カバー１１及び下側カバー１２を強く開き、ロック爪１６ａ及び１６ｂと係合部１７ａ及び１７ｂとの係合を外し、図１に示すように、ディスクケース１を開く。そして、シート状小物３ａ、３ｂや立体小物４ａ、４ｂを、下側カバー１２の底面１２ｄに置き、その上に、ウレタン材２０を置き、ウレタン材２０を突出片１８ａ及び１８ｂに引っ掛けて、固定する。
【００３０】
このように、本考案が適用されたディスクケース１は、ＤＶＤやＣＤ等のディスク２と共に、シート状小物３ａ、３ｂや立体小物４ａ、４ｂを収納することができるため、旅先の思い出や、子供の成長記録を整理するのに便利である。
【００３１】
さらに、本考案が適用されたディスクケース１では、シート状小物３ａ、３ｂや立体小物４ａ、４ｂが収納される側の下側カバー１２については透明部材が用いられるため、ディスクケース１の上側カバー１１と下側カバー１２とを閉じたときに、図２に示すように、下側カバー１２からは、収納されているシート状小物３ａ、３ｂや、立体小物４ａ、４ｂを視認することができる。
【００３２】
さらに、図３に示すように、シート状小物３ａ、３ｂや立体小物４ａ、４ｂは、下側カバー１２の底面１２ｄの上に置かれ、その上に、ウレタン材２０が置かれる。ウレタン材２０は柔軟性部材である。このため、下側カバー１２の底面１２ｄ上に置かれたシート状小物３ａ、３ｂや立体小物４ａ、４ｂは、ウレタン材２０の反発力により下側カバー１２の底面１２ｄに押しつけられて固定される。このため、シート状小物３ａ、３ｂや立体小物４ａ、４ｂは動くことがない。また、ウレタン材２０は柔軟性があるので、旅行の写真、資料館や美術館の入場券、切符や航空券、子供の写真、運動会のプログラムのようなシート状小物３ア、３ｂばかりでなく、土産品やコイン、賞品の品物、おもちゃのような立体小物４ａ、４ｂを保存することができる。
【００３３】
なお、上述の例では、柔軟性部材としてウレタン材２０を用いているが、これに限られるものではない。スポンジや低反発材、綿等、柔軟性のある部材であれば、何を用いても良い。
また、ウレタン材２０に、立体小物４ａ、４ｂに係合する凹部や切込溝を設けるようにしてもよい。例えば、立体小物４ａ、４ｂとしてコインを収納することを考慮すると、ウレタン材２０にコインの厚みと形状に対応する円形の凹部を設けておく。さらに、立体小物４ａ、４ｂとしてキーホルダー等を収納することを考慮して、ウレタン材２０にキーホルダーが嵌り込むような形状の切込溝を形成しておく。このようにすると、シート状小物３ａ、３ｂにも、厚みのある立体小物４ａ、４ｂにも、ウレタン材２０の圧力が平均的にかかり、これらの小物を安定して固定することができる。さらに、シート状小物３ａ、３ｂに係合する凹部を設けても良い。例えば、シート状小物３ａ、３ｂとして写真を収納することを考慮すると、ウレタン材２０に写真の形状の凹部を設けておく。このようにすると、シート状小物３ａ、３ｂが安定して固定される。
【００３４】
第２実施形態．
図４は、本考案の第２実施形態を示すものである。この実施形態では、下側カバー１２の側面１２ｂ及び１２ｃに、高さが３段階に異なる突出片５１ａ、５２ａ、５２ａ及び５１ｂ、５２ｂ、５３ｂがそれぞれ形成されている。そして、この実施形態では、合成樹脂からなる平板状の固定板５５を使って、ウレタン材２０を固定するようにしている。他の構成については、前述の第１実施形態と同様であり、同一部分には同一符号を付し、その説明を省略する。
【００３５】
この第２実施形態では、ディスクケース１にシート状小物３ａ、３ｂ、立体小物４ａ、４ｂを収納する際、シート状小物３ａ、３ｂ及び立体小物４ａ、４ｂを下側カバー１２の底面１２ｄに置き、その上に、ウレタン材２０を置き、平板状の固定板５５を置き、固定している。
【００３６】
このように、第２実施形態では、ウレタン材２０のさらに上に、平板状の固定板５５が置かれる。このような平板状の固定板５５が設けられることにより、ウレタン材２０が確実に固定される。
【００３７】
また、第２実施形態では、下側カバー１２の底面からのウレタン材２０の高さが立体小物４ａ、４ｂの厚さに応じて調整できる。すなわち、平板状の固定板５５は、立体小物４ａ、４ｂの厚さに応じて、突出片５１ａ及び５１ｂ、突出片５２ａ及び５２ｂ、又は突出片５３ａ及び５３ｂのいずれかに係合されて、固定される。これにより、ウレタン材２０の高さが３段階に調整できる。この実施形態では、ウレタン材の高さが調整できるので、各種の厚さの小物を無理なく収納できる。
【００３８】
なお、上述の例では、１枚のウレタン材を用いているが、複数枚のウレタン材を平板状の固定板５５で固定するようにしてもよい。また、立体小物４ａ、４ｂの厚さに応じて、ウレタン材２０の枚数を変更することで、下側カバー１２の底面からのウレタン材２０の高さを調整するようにしてもよい。
また、上述の例では、シート状小物３ａ、３ｂ及び立体小物４ａ、４ｂを下側カバー１２の底面１２ｄに置き、その上に、ウレタン材２０を置き、平板状の固定板５５を置いて、固定しているが、平板状の固定板５５にウレタン材２０を貼着しておき、シート状小物３ａ、３ｂ及び立体小物４ａ、４ｂを下側カバー１２の底面１２ｄに置き、その上にウレタン材２０が貼着された固定板５５を置いて固定するようにしてもよい。
【００３９】
第３実施形態．
上述の例では、平板状の固定板５５を用いているが、図５に示すように、固定板５５に段差を設けるようにしてもよい。つまり、図５に示すように、固定板５５に段差が設けられ、高さの異なる平面部５５ａと５５ｂとが形成される。ディスクケース１にシート状小物３ａ、３ｂ、立体小物４ａ、４ｂを収納する際、図６に示すように、シート状小物３ａ、３ｂは、平面部５５ａの下に、ウレタン材２０ａを介して置かれ、立体小物４ａ、４ｂは、平面部５５ｂの下に、ウレタン材２０ｂを介して置かれる。これにより、シート状小物３ａ、３ｂと立体小物４ａ、４ｂをそれぞれ確実に固定することができる。
【００４０】
第４実施形態．
図７は、本考案の第４実施形態を示すものである。この実施形態では、下側カバー１２の内側に嵌合する形状の箱状の取付部材６１を設け、この取付部材６１の底面にウレタン材２０を配置し、下側カバー１２内に嵌合して、固定するようにしている。
【００４１】
すなわち、図７において、取付部材６１は、底面６２と、この底面６２を囲む側面６３ａ、６３ｂ、６３ｃ、６３ｄを有し、下側カバー１２内に嵌り込む箱状の形状とされている。ディスクケース１にシート状小物３ａ、３ｂ、立体小物４ａ、４ｂを収納する際、シート状小物３ａ、３ｂ及び立体小物４ａ、４ｂを下側カバー１２の底面１２ｄに置き、その上にウレタン材２０を置き、さらにその上に取付部材６１を嵌め込んで固定する。
【００４２】
このように、第４実施形態では、箱状の取付部材６１を下側カバー１２内に嵌合して、シート状小物３ａ、３ｂや立体小物４ａ、４ｂを固定するようにしている。これにより、シート状小物３ａ、３ｂや立体小物４ａ、４ｂが確実に固定される。
【００４３】
また、この実施形態では、取付部材６１は箱状であるため、この取付部材６１のスペースを新たな小物入れとして利用することができる。なお、箱状の取付部材６１に小物を入れるようにした場合には、取付部材６１に収納した小物が外に出たり、ディスクに当たって傷つけたりすることがないように、蓋を取り付けるようにすることが望ましい。ケース状の取付部材６１に取り付ける蓋は、取付部材６１に係合させるようにしても良いし、ヒンジを設けて、開閉自在にしてもよい。
また、上述の例では、シート状小物３ａ、３ｂ及び立体小物４ａ、４ｂを下側カバー１２の底面１２ｄに置き、その上に、ウレタン材２０を置き、箱状の取付部材６１を嵌め込んで固定しているが、取付部材６１の下面にウレタン材２０を貼着しておき、シート状小物３ａ、３ｂ及び立体小物４ａ、４ｂを下側カバー１２の底面１２ｄに置き、その上にウレタン材２０が貼着された取付部材６１を嵌め込んで固定するようにしてもよい。
【００４４】
第４実施形態．
図８は、本考案の第５実施形態を示すものである。前述の第４実施形態では、箱状の取付部材６１の底面６２を平坦としていたが、この実施形態では、図７に示すように、高さの異なる底面６２ａと底面６２ｂが形成され、底面に段差が設けられる。
【００４５】
前述の第４実施形態と同様に、ディスクケース１にシート状小物３ａ、３ｂ、立体小物４ａ、４ｂを収納する際、シート状小物３ａ、３ｂ及び立体小物４ａ、４ｂを下側カバー１２の底面１２ｄに置き、その上に、ウレタン材２０ｄ、２０ｅが取付部材６１を嵌め込んで固定する。このとき、シート状小物３ａ、３ｂは底面６２ｂの下に置き、立体小物４ａ、４ｂは底面６２ａの下に置く。これにより、シート状小物３ａ、３ｂと立体小物４ａ、４ｂをそれぞれ確実に固定することができる。
【００４６】
第５実施形態．
図９は、本考案の第６実施形態を示すものである。この実施形態では、図９に示すように、ディスクケース１をケース収納箱７１に収納するようにしている。ディスクケース１には複数の小物が収納されるため、ケースの開閉機構がしっかりしていないと、中身がこぼれ落ちることが危惧される。本考案では、ディスクケース１をケース収納箱７１に収納するようにしている。このため、ディスクケース１が開き、ディスクケース１の中身がこぼれるという危険性が回避できる。なお、ケース収納箱７１には、複数のディスクケース１を収納できるようにしてもよい。また、ケース収納箱７１自体を透明部材により形成すれば、ディスクケース１をケース収納箱７１に収納した状態で、ディスクケース１に収納した小物を視認することができる。
【００４７】
上述の例では、上側ケースにディスクを収納し、下側ケースに小物を収納しているが、下側ケースにディスクを収納し、上側ケースに小物を収納するようにしてもよい。本考案は、上述した実施形態に限定されるものではなく、この考案の要旨を逸脱しない範囲内で様々な変形や応用が可能である。
【図面の簡単な説明】
【００４８】
【図１】本考案の第１実施形態の分解斜視図である。
【図２】本考案の第１実施形態の説明に用いる平面図である。
【図３】本考案の第１実施形態の説明に用いる断面図である。
【図４】本考案の第２実施形態の説明に用いる分解斜視図である。
【図５】本考案の第３実施形態の説明に用いる斜視図である。
【図６】本考案の第３実施形態の説明に用いる断面図である。
【図７】本考案の第４実施形態の分解斜視図である。
【図８】本考案の第５実施形態の分解斜視図である。
【図９】本考案の第６実施形態の斜視図である。
【符号の説明】
【００４９】
１  ディスクケース
２  ディスク
３ａ、３ｂ シート状小物
４ａ、４ｂ 立体小物
１１  上側カバー
１２  下側カバー
１３  ヒンジ部
１４  ディスク固定部
１５  固定片
１６ａ，１６ｂ  ロック爪
１７ａ，１７ｂ  係合部
１８ａ，１８ｂ  突出片
２０  ウレタン材
５５  固定板
６１  取付部材
７１  ケース収納箱
【図１】
0003104653.tif 000003
【図２】
0003104653.tif 000004
【図３】
0003104653.tif 000005
【図４】
0003104653.tif 000006
【図５】
0003104653.tif 000007
【図６】
0003104653.tif 000008
【図７】
0003104653.tif 000009
【図８】
0003104653.tif 000010
【図９】
0003104653.tif 000011
【手続補正書】
【提出日】平成16年5月12日(2004.5.12)
【手続補正１】
【補正対象書類名】明細書
【補正対象項目名】０００７
【補正方法】変更
【補正の内容】
【０００７】
ＣＤやＤＶＤは、通常、合成樹脂のケースに入れて保管されている。このＣＤやＤＶＤのケースには、歌詞カードや解説カード等が一緒に収納されている。したがって、現行のケースでも、旅先で訪問した資料館や美術館の入場券、切符や航空券、あるいは、運動会のプログラムのような、紙のものは一緒にケースに保存できる。しかしながら、旅先で買った土産物、旅先で使われていたコイン、賞品としてもらった品物など、厚さのあるものは、ＣＤやＤＶＤと一緒にケースに保存できない。
【手続補正２】
【補正対象書類名】明細書
【補正対象項目名】００１４
【補正方法】変更
【補正の内容】
【００１４】
本考案において、好ましくは、柔軟性部材のカバーの底面からの高さ枚数を変えられるようにしたことを特徴とする。
【手続補正３】
【補正対象書類名】明細書
【補正対象項目名】００３２
【補正方法】変更
【補正の内容】
【００３２】
さらに、図３に示すように、シート状小物３ａ、３ｂや立体小物４ａ、４ｂは、下側カバー１２の底面１２ｄの上に置かれ、その上に、ウレタン材２０が置かれる。ウレタン材２０は柔軟性部材である。このため、下側カバー１２の底面１２ｄ上に置かれたシート状小物３ａ、３ｂや立体小物４ａ、４ｂは、ウレタン材２０の反発力により下側カバー１２の底面１２ｄに押しつけられて固定される。このため、シート状小物３ａ、３ｂや立体小物４ａ、４ｂは動くことがない。また、ウレタン材２０は柔軟性があるので、旅行の写真、資料館や美術館の入場券、切符や航空券、子供の写真、運動会のプログラムのようなシート状小物３ａ、３ｂばかりでなく、土産品やコイン、賞品の品物、おもちゃのような立体小物４ａ、４ｂを保存することができる。